(57)【要約】【課題】本発明の解決しようとする課題は、通常の電源で使用可能であり、電池交換等の手間もかからず、停電時においても一定時間発光して誘導灯として機能する表示装置、並びにこれに用いる蓄光フィルムを提案するものである。【解決手段】基材層２と、バインダー樹脂及び蓄光顔料を含む蓄光層３と、集光機能層４とが、この順序で積層されてなる蓄光フィルム１、並びにこの蓄光フィルム１と、光源１１と、表示パネル１３と、光源からの光を蓄光フィルム及び表示パネルに導く導光板１２とを備えた表示装置１０である。【選択図】図１
2018089887.tif 000002
【特許請求の範囲】
【請求項１】
基材層と、バインダー樹脂及び蓄光顔料を含む蓄光層と、集光機能層とが、この順序で積層されてなる蓄光フィルム。
【請求項２】
前記集光機能層は、レンチキュラーレンズ、レンズアレイ、プリズムのいずれかを表面に形成したものであることを特徴とする請求項１に記載の蓄光フィルム。
【請求項３】
前記バインダー樹脂は粘着剤又は接着剤であり、前記基材層と集光機能層とが蓄光層に直接接していることを特徴とする請求項１または２に記載の蓄光フィルム。
【請求項４】
請求項１〜３のいずれか１項に記載された蓄光フィルムと、光源と、表示パネルと、光源からの光を蓄光フィルム及び表示パネルに導く導光板とを備えた表示装置。
【発明の詳細な説明】
【技術分野】
【０００１】
本発明は、光源からの光を効率良く蓄えると共に、蓄えた光を効果的に発光する蓄光フィルム並びに、これを用いた表示装置に関する。
【背景技術】
【０００２】
火災や地震等の発生時に備えて、避難誘導灯の設置が行われている。特許文献１に記載された照明装置および誘導灯装置は、光源と、光源から発光された光を表示面に導く導光板と、反射手段と、導光板の出光面に設けられた表裏使用可能な表示パターンを透光性塗料にて形成した表示手段とを具備した照明装置である。
【０００３】
特許文献１に記載された照明装置は、避難誘導灯として用いる場合に、設置場所によって避難方向が左右異なることによって、製品の種類が増えるという問題を解消する目的でなされたものであり、１種類の製品で、左右どちらの方向にも使用することができるという特徴を有している。
【０００４】
実際の災害時においては、停電を伴うことが想定されるため、特許文献１に記載されたような照明装置を用いる場合には、蓄電池や非常用発電機等の非常用電源装置によって補完された大掛かりな専用の電源回路を設置して電源を供給しなければならないという問題がある。
【０００５】
そこで、一般の電源でも設置できるようにした避難誘導灯が広く用いられている。これらの製品は、２次電池を内臓しており、通常使用時に充電した電池によって、停電時にも一定時間の点灯を可能としたものである。
【０００６】
しかし、２次電池には寿命があるため、このような２次電池を内臓した避難誘導灯は、電池を定期的に交換しなければならず、また電源設置のためのコストが掛かるという問題があった。
【先行技術文献】
【特許文献】
【０００７】
【特許文献１】特開平７−２３４６４９号公報
【発明の概要】
【発明が解決しようとする課題】
【０００８】
本発明の解決しようとする課題は、通常の電源で使用可能であり、電池交換等の手間もかからず、停電時においても一定時間発光して誘導灯として機能する表示装置、並びにこれに用いる蓄光フィルムを提案するものである。
【課題を解決するための手段】
【０００９】
上記の課題を解決するための手段として、請求項１に記載の発明は、基材層と、バインダー樹脂及び蓄光顔料を含む蓄光層と、集光機能層とが、この順序で積層されてなる蓄光フィルムである。
【００１０】
本発明に係る蓄光フィルムは、蓄光層の表面に集光機能層を配置したことにより、蓄光時には外部の光を効率よく蓄光層に集めることができる一方、発光時には、蓄光層から放射される光を効果的に拡散させることができる。
【００１１】
また、請求項２に記載の発明は、前記集光機能層が、レンチキュラーレンズ、レンズアレイ、プリズムのいずれかを表面に形成したものであることを特徴とする請求項１に記載の蓄光フィルムである。
【００１２】
また、請求項３に記載の発明は、前記バインダー樹脂が粘着剤又は接着剤であり、前記基材層と集光機能層とが蓄光層に直接接していることを特徴とする請求項１または２に記載の蓄光フィルムである。
【００１３】
また、請求項４に記載の発明は、請求項１〜３のいずれか１項に記載された蓄光フィルムと、光源と、表示パネルと、光源からの光を蓄光フィルム及び表示パネルに導く導光板とを備えた表示装置である。
【発明の効果】
【００１４】
本発明に係る蓄光フィルムは、蓄光層の表面に集光機能層を有するので、蓄光時には外部の光を効率よく蓄光層に集めることができる一方、発光時には、蓄光層から放射される光を効率よく拡散させることができる。
【００１５】
また、蓄光層をバインダー樹脂と蓄光顔料を含む樹脂組成物としたことにより、蓄光層を塗工法によって形成することができ、蓄光フィルムを容易に、また効率的に製造することが可能となった。
【００１６】
請求項２に記載の発明のように、前記集光機能層として、レンチキュラーレンズ、レンズアレイ、プリズムのいずれかを表面に形成したものを用いた場合には、この集光作用並びに拡散作用が十分に発揮される。
【００１７】
請求項３に記載の発明のように、バインダー樹脂として粘着剤又は接着剤を使用し、基材層と集光機能層とが蓄光層に直接接するようにすることにより、基材層、蓄光層、集光機能層の３層からなる蓄光フィルムをさらに効率的に作成することができる。
【００１８】
請求項４に記載されたように、本発明に係る蓄光フィルムと、光源と、表示パネル並びに光源からの光を蓄光フィルム及び表示パネルに導く導光板とを備えた表示装置は、光源から放射された光を蓄光フィルムと表示パネルの両方に供給することができるため、通常時には表示と蓄光を同時に行い、停電時には、蓄光フィルムから放射された光を表示パネルに効率よく照射することができる。
【図面の簡単な説明】
【００１９】
【図１】図１は、本発明に係る蓄光フィルムの一実施態様における層構成を示した断面模式図である。
【図２】図２は、本発明に係る蓄光フィルムの他の実施態様における層構成を示した断面模式図である。
【図３】図３は、本発明に係る表示装置の一実施態様を示した斜視説明図である。
【図４】図４は、図３に示した表示装置の断面構造を示した断面模式図である。
【発明を実施するための形態】
【００２０】
以下、図面を参照しながら本発明に係る蓄光フィルム並びに表示装置について詳細に説明する。図１は、本発明に係る蓄光フィルム１の一実施態様における層構成を示した断面
模式図である。
【００２１】
本発明に係る蓄光フィルム１は、基材層２と、バインダー樹脂及び蓄光顔料を含む蓄光層３と、集光機能層４とが、この順序で積層されている。
【００２２】
基材層２は、蓄光層３の基材として用いる場合と、独立した層として用いる場合とがある。どちらの場合であっても、蓄光層３に照射された光を反射したり、蓄光層３から射出される光を反射する役割を担うものであるため、光を反射しやすい材料であることが好ましい。
【００２３】
このような材料としては、白色顔料を添加した合成樹脂フィルムが好適に用いられる。合成樹脂フィルムの材質としては、必要とされる耐光性や、耐熱性、形状安定性、価格等を考慮して決定される。中でも、ポリエチレンテレフタレート（ＰＥＴ）樹脂に酸化チタンを分散した白色ＰＥＴフィルムは、各特性のバランスが良く、使い易い材料である。
【００２４】
図２は、本発明に係る蓄光フィルム１の他の実施態様における層構成を示した断面模式図である。この例では、基材層２の背面にさらに反射層６が設けられている。反射層６としては、アルミニウム箔やアルミニウム板、光輝性顔料による塗工層などを用いることができる。反射層６を設けた場合には、基材層２は透明なフィルムでも良い。
【００２５】
蓄光層３は、バインダー樹脂及び蓄光顔料を含む層である。蓄光顔料としては、硫化亜鉛系、アルミン酸ストロンチウム系などの公知の蓄光顔料を用いることができる。バインダー樹脂としては、アクリル樹脂、ポリエステル樹脂、フッ素樹脂、シリコーン樹脂、ポリビニルブチラール樹脂等の耐光性に優れた樹脂材料が好ましい。
【００２６】
蓄光層３は、バインダー樹脂、蓄光顔料、溶剤を混合した樹脂組成物を塗工基材に塗布、乾燥させることで、形成することができる。基材層２を塗工基材として用いることもできるし、別の剥離性の塗工基材に塗布して乾燥した後、剥離して蓄光層単体フィルムを形成しても良い。
【００２７】
バインダー樹脂としては、粘着剤又は接着剤を用いることで、基材層２上に直接塗工し蓄光層３を形成することができる。この方法を用いると、例えば、白色ＰＥＴフィルムに粘着剤又は接着剤と蓄光顔料を含む樹脂組成物を塗工した後、この塗工面に集光機能層４を圧着することにより、本発明に係る蓄光フィルムを得ることができる。
【００２８】
粘着剤としては、アクリル樹脂系、ポリエステル樹脂系、シリコーン樹脂系、ポリビニルブチラール樹脂系等の粘着剤を用いることができる。接着剤としては、アクリル系接着剤、ポリエステル系接着剤、ウレタン系接着剤等が使用でき、特に接着力の強固な二液硬化型の接着剤が好ましい。接着層の特性としては、被着体である金属、プラスチック、セラミック、木材、紙等の表示基板との密着性が高く、また屋外での使用に耐えうる耐候性を備えた接着層が望ましい。
【００２９】
集光機能層４としては、レンチキュラーレンズやレンズアレイ、プリズム等の光学構造を表面に形成した透明樹脂層を用いることができる。集光機能層４は、蓄光時には、さまざまな方向から入射する光を蓄光層３に集める働きをすると共に、発光時には、蓄光層から射出された光を拡散させる働きをする。
【００３０】
集光機能層４に用いる材料としては、透明性や耐光性に優れ、屈折率の高い材料が用いられる。ＰＭＭＡ（ポリメチルメタクリレート）に代表されるアクリル樹脂系の材料の他、スチレン系樹脂、ポリカーボネート樹脂、オレフィン系樹脂なども使用される。
【００３１】
基材層２、蓄光層３、集光機能層４の貼り合せ方法としては、前述の粘着剤を用いる方法の他に、接着剤を用いる方法や、粘着テープを用いる方法もある。図２に示した例では、蓄光層３と集光機能層４の貼り合せに接着剤層５が用いられている。この場合の接着剤としては、透明性、耐光性に優れた光学用途用接着剤を用いることが望ましい。
【００３２】
図３は、本発明に係る表示装置１０の一実施態様を示した斜視説明図である。図４は、図３に示した表示装置の断面構造を示した断面模式図である。本発明に係る表示装置１０は、本発明に係る蓄光フィルム１と、光源１１と、表示パネル１３と、光源１１からの光を蓄光フィルム１及び表示パネル１３に導く導光板１２とを備えた表示装置である。
【００３３】
図３に示した例では、背面側から順に蓄光フィルム１、導光板１２、表示パネル１３が配置されている。導光板１２の上部には光源１１が設置されている。表示パネルの内面側には、印刷層１４が設けられている。
【００３４】
光源１１としては、蛍光灯、冷陰極管、ＬＥＤ等が用いられる。光源１１から下方に照射された光は、導光板１２によって拡散され、表示パネル１３に均一になるように照射されると共に、蓄光フィルム１にも照射される。
【００３５】
蓄光フィルム１に照射された光は、蓄光層３に蓄えられる。災害時等に停電になった場合には、逆に、蓄光層３から放射された光が導光板１２を透過して表示パネル１３を裏面から照射する。
【００３６】
導光板１２としては、液晶ディスプレイに用いられる導光板を用いることができる。最も簡単な構造のものとしては、透明なアクリル樹脂板の表裏両面に、白色顔料を含むインキを用いて粗密のパターンを印刷したものなどが利用できる。
【００３７】
表示パネル１３としては、透明なアクリル板の表面または裏面に印刷層１４を設けたものや、透明なフィルムの表面または裏面に印刷層１４を設けたものを用いることができる。印刷層１４は、透光性のインキを用いて、スクリーン印刷法やグラビア印刷法によって印刷される。
【００３８】
このように本発明に係る表示装置１０は、一般の電源に接続して使用することができ、通電時には通常の表示装置として、また停電時には非常用表示装置として用いることができ、バックアップ用の電池が不要で、電池交換の手間も掛からないため、避難誘導灯などに好適に用いることができる。
【符号の説明】
【００３９】
１・・・蓄光フィルム
２・・・基材層
３・・・蓄光層
４・・・集光機能層
５・・・反射層
１０・・・表示装置
１１・・・光源
１２・・・導光板
１３・・・表示パネル
１４・・・印刷層
【図１】
2018089887.tif 000003
【図２】
2018089887.tif 000004
【図３】
2018089887.tif 000005
【図４】
2018089887.tif 000006